(57)【要約】【課題】ディミングインタフェース部を２次側に設けて１次側の不要な構成要素を除去して簡素化及び部品の小型化を図るための入力電源感知装置を提供すること。【解決手段】入力電源部と、前記入力電源部の入力電源（Ｖｉｎ）を整流電源（Ｖｒ）に整流させる整流部と、前記整流電源（Ｖｒ）を既に設定された第１の電源（Ｖ２１）及び第２の電源（Ｖ２２）に変換してディミングインタフェース部及び第１の照明部に印加するコンバータ部と、前記入力電源の状態を感知するディミングインタフェース部と、第１の照明部と、を備え、前記ディミングインタフェース部及び前記第１の照明部は、それぞれフィードバック状に前記コンバータ部に接続されることを特徴とする入力電源感知装置。【選択図】図２
2017022981.tif 000002
【特許請求の範囲】
【請求項１】
入力電源部と、
前記入力電源部の入力電源（Ｖｉｎ）を整流電源（Ｖｒ）に整流させる整流部と、
前記整流電源（Ｖｒ）を既に設定された第１の電源（Ｖ２１）及び第２の電源（Ｖ２２）に変換してディミングインタフェース部及び第１の照明部に印加するコンバータ部と、
前記入力電源の状態を感知するディミングインタフェース部と、
第１の照明部と、
を備え、
前記ディミングインタフェース部及び前記第１の照明部は、それぞれフィードバック状に前記コンバータ部に接続されることを特徴とする入力電源感知装置。
【請求項２】
前記コンバータ部は、
１次側巻線及び複数の２次側巻線を有するトランスフォーマと、
前記コンバータ部をオン／オフにするスイッチ部と、
前記スイッチ部を制御するパルス幅変調（ＰＷＭ）制御部と、
を備える請求項１に記載の入力電源感知装置。
【請求項３】
前記トランスフォーマは、
１次側に配設されて前記整流電源（Ｖｒ）を受信する第１の巻線と、
２次側に配設されて前記第１の巻線との巻線比に応じて第１の電源（Ｖ２１）を印加され、前記ディミングインタフェース部に接続される第２の巻線と、
２次側に配設されて前記第１の巻線との巻線比に応じて第２の電源（Ｖ２２）を印加され、前記第１の照明部に接続される第３の巻線と、
を備える請求項２に記載の入力電源感知装置。
【請求項４】
前記第１の巻線と前記第２の巻線との巻線比は１：Ｎ１であり、
前記第１の巻線と前記第３の巻線との巻線比は１：Ｎ２であることを特徴とする請求項３に記載の入力電源感知装置。
【請求項５】
前記第１の巻線及び前記スイッチ部は、直列に接続されることを特徴とする請求項３に記載の入力電源感知装置。
【請求項６】
前記第２の巻線は、前記第１の巻線と同じ方向（フォワード型コンバータ）であり、
前記第３の巻線は、前記第１の巻線とは反対の方向（フライバックコンバータ）であることを特徴とする請求項３に記載の入力電源感知装置。
【請求項７】
第２の照明部、第３の照明部，．．．第ｎの照明部を更に備え、
前記トランスフォーマは、
２次側に配設されてそれぞれ前記第１の巻線との巻線比に応じて電源を印加され、前記複数の照明部にそれぞれ接続される複数の巻線を備えることを特徴とする請求項３に記載の入力電源感知装置。
【請求項８】
前記複数の巻線は、
前記第１の巻線とは反対の方向（フライバックコンバータ）であることを特徴とする請求項７に記載の入力電源感知装置。
【請求項９】
前記第２の照明部、第３の照明部，．．．第ｎの照明部は、
それぞれフィードバック状に前記コンバータ部に接続されることを特徴とする請求項７に記載の入力電源感知装置。
【請求項１０】
前記スイッチ部は電界効果トランジスタ（ＦＥＴ）であり、
前記パルス幅変調（ＰＷＭ）制御部は、前記電界効果トランジスタ（ＦＥＴ）のゲートに接続されることを特徴とする請求項２に記載の入力電源感知装置。
【請求項１１】
前記入力電源（Ｖｉｎ）は、商用交流電源（２２０Ｖ）であることを特徴とする請求項１に記載の入力電源感知装置。
【請求項１２】
前記整流部は、ブリッジ整流器であることを特徴とする請求項１に記載の入力電源感知装置。
【請求項１３】
前記ディミングインタフェース部は、
前記入力電源と既に設定された分だけ比例して出力電源が印加されると、前記出力電源を感知するディミング出力端子と、
前記出力電源を直流に整流するピーク整流器と、
前記ピーク整流器と直列に接続されてレファレンスを生成する調光信号生成部と、
を備えることを特徴とする請求項１に記載の入力電源感知装置。
【請求項１４】
前記出力端子の出力電源は、下記の数式により決定されることを特徴とする請求項１３に記載の入力電源感知装置。
【数１】
2017022981.tif 000006
（このとき、Ｖｉｎは入力電源であり、Ｖｏｕｔは出力電源であり、Ｎ１は第２の巻線の巻線比であり、Ｄは入力電源の周期である。）
【請求項１５】
前記ディミングインタフェース部が生成したレファレンスに応じて補償し、フィードバック制御部に転送する補償部と、
前記補償部が補償した値をコンバータ部に転送するフィードバック制御部と、
を更に備えることを特徴とする請求項１に記載の入力電源感知装置。
【請求項１６】
前記補償部は、前記ディミングインタフェース部及び前記第１の照明部に接続され、
前記補償部及び前記フィードバック制御部は、前記コンバータ部のパルス幅変調（ＰＷＭ）制御部に直列に接続されることを特徴とする請求項１５に記載の入力電源感知装置。
【発明の詳細な説明】
【技術分野】
【０００１】
本発明は、入力電源部、前記入力電源部の入力電源（Ｖｉｎ）を整流電源（Ｖｒ）に整流させる整流部、前記整流電源（Ｖｒ）を既に設定された第１の電源（Ｖ２１）及び第２の電源（Ｖ２２）に変換してディミングインタフェース部及び第１の照明部に印加するコンバータ部、前記入力電源の状態を感知するディミングインタフェース部及び第１の照明部を備え、前記ディミングインタフェース部及び前記第１の照明部は、それぞれフィードバック状に前記コンバータ部に接続されることを特徴とする入力電源感知装置に関する。
【背景技術】
【０００２】
発光ダイオード（ＬＥＤ：Ｌｉｇｈｔ Ｅｍｉｔｔｉｎｇ Ｄｉｏｄｅ）は、電気エネルギーを光に変換する半導体素子の一種である。発光ダイオード（ＬＥＤ）は、蛍光灯、白熱灯など既存の光源に比べて低い消費電力、半永久的な寿命、早い応答速度、安全性、環境へのやさしさなどのメリットを有する。特に、発光ダイオード（ＬＥＤ）照明装置は、多数配設された発光ダイオード（ＬＥＤ）の点滅順序、発光色及び明るさなどの制御により様々な演出を行うことができる。
【０００３】
この理由から、既存の在来式光源を発光ダイオード（ＬＥＤ）に取って代えようとする取り組みが盛んに行われており、発光ダイオード（ＬＥＤ）は、室内外において用いられる各種のランプ、液晶表示装置、電光板、街灯などの照明装置の光源としての使用が増えつつあるのが現状である。特に、室内インテリアの一般照明、特定の雰囲気を演出するための舞台照明、広告照明及び景観照明などの用途に用いられている。
【０００４】
照明装置は景観照明であり、建物の外壁、公園、街灯、橋の手すり又は公演場に設けられるが、適用される用途や対象又は位置に応じてその大きさ及び適用システムがそれぞれ異なってくる。すなわち、建物の外壁用のものは、建物の外壁に帯状に単に点滅するか、又は、単色又は組み合わせられた色相として単に表出して使用し、公園や街灯、橋の手すりなどには、対象物の形状に応じて不規則的に照明を設けて点滅や色相を変更して使用する。
【０００５】
このとき、図１を参照すると、従来の照明制御装置は、入力電源に応じて発光ダイオード（ＬＥＤ）の調光度が異なるため、入力電圧の状態（１５０Ｖ〜２５０Ｖ）をリアルタイムで感知し、その値を受信するために、１次側にＡＣ入力感知部１８０、ＡＣ／ＤＣ整流器１７０、トランスミッタ１６０など各種の部品を備えることを余儀なくされていた。
【０００６】
しかしながら、各国ごとに照明装置に必要な安全要求事項（ｓａｆｅｔｙ  ｒｅｑｕｉｒｅｍｅｎｔ）が異なるため、全ての国を満足させる照明制御装置の規格を実現する方法が非常に厳格であるという問題があり、絶縁型コンバータ部の安全要求事項に違背することを防ぐ回路構成及び部品を適用する方案への種々の取り組みが行われている。
【発明の概要】
【発明が解決しようとする課題】
【０００７】
本発明は、上述したように、既存の照明制御装置が抱えている問題を解消するためのものであり、ディミングインタフェース部を２次側に設けて１次側の不要な構成要素を除去して簡素化及び部品の小型化を図るための入力電源感知装置を提供することを目的とする。
【０００８】
本発明が解決しようとする技術的課題は、上述した技術的課題に何ら制限されるものではなく、後述する内容から通常の技術者にとって自明な範囲内において種々の技術的課題が含まれ得る。
【課題を解決するための手段】
【０００９】
上述した課題を解消するための本発明の一実施形態による入力電源感知装置は、入力電源部、前記入力電源部の入力電源（Ｖｉｎ）を整流電源（Ｖｒ）に整流させる整流部、前記整流電源（Ｖｒ）を既に設定された第１の電源（Ｖ２１）及び第２の電源（Ｖ２２）に変換してディミングインタフェース部及び第１の照明部に印加するコンバータ部、前記入力電源の状態を感知するディミングインタフェース部及び第１の照明部を備え、前記ディミングインタフェース部及び前記第１の照明部は、それぞれフィードバック状に前記コンバータ部に接続されることを特徴とする。
【００１０】
また、本発明の一実施形態による入力電源感知装置は、前記コンバータ部が、１次側巻線及び複数の２次側巻線を有するトランスフォーマ、前記コンバータ部をオン／オフにするスイッチ部及び前記スイッチ部を制御するパルス幅変調（ＰＷＭ）制御部を備えることを特徴とする。
【００１１】
このとき、本発明の一実施形態による入力電源感知装置は、前記トランスフォーマが、１次側に配設されて前記整流電源（Ｖｒ）を受信する第１の巻線、２次側に配設されて前記第１の巻線との巻線比に応じて第１の電源（Ｖ２１）を印加され、前記ディミングインタフェース部に接続される第２の巻線、及び２次側に配設されて前記第１の巻線との巻線比に応じて第２の電源（Ｖ２２）を印加され、前記第１の照明部に接続される第３の巻線を備えることを特徴とする。
【００１２】
また、本発明の一実施形態による入力電源感知装置は、前記第１の巻線と前記第２の巻線との巻線比は１：Ｎ１であり、前記第１の巻線と前記第３の巻線との巻線比は１：Ｎ２であることを特徴とし、前記第１の巻線及び前記スイッチ部は、直列に接続されることを特徴とする。
【００１３】
更に、本発明の一実施形態による入力電源感知装置は、前記第２の巻線は、前記第１の巻線と同じ方向（フォワード型コンバータ）であり、前記第３の巻線は、前記第１の巻線とは反対の方向（フライバックコンバータ）であることを特徴とする。
【００１４】
更にまた、本発明の一実施形態による入力電源感知装置は、第２の照明部、第３の照明部，．．．第ｎの照明部を更に備え、前記トランスフォーマは、２次側に配設されてそれぞれ前記第１の巻線との巻線比に応じて電源を印加され、前記複数の照明部にそれぞれ接続される複数の巻線を備えることを特徴とする。
【００１５】
このとき、本発明の一実施形態による入力電源感知装置は、前記複数の巻線が前記第１の巻線とは反対の方向（フライバックコンバータ）であることを特徴とし、前記第２の照明部、第３の照明部，．．．第ｎの照明部は、それぞれフィードバック状に前記コンバータ部に接続されることを特徴とする。
【００１６】
また、本発明の一実施形態による入力電源感知装置は、前記スイッチ部が電界効果トランジスタ（ＦＥＴ）であり、前記パルス幅変調（ＰＷＭ）制御部は、前記電界効果トランジスタ（ＦＥＴ）のゲートに接続されることを特徴とする。
【００１７】
更に、本発明の一実施形態による入力電源感知装置は、前記入力電源（Ｖｉｎ）が商用交流電源（２２０Ｖ）であることを特徴とし、前記整流部がブリッジ整流器であることを特徴とする。
【００１８】
一方、本発明の一実施形態による入力電源感知装置は、前記ディミングインタフェース部が、前記入力電源に既に設定された分だけ比例して出力電源が印加されると、前記出力電源を感知するディミング出力端子、前記出力電源を直流に整流するピーク整流器、及び前記ピーク整流器と直列に接続されてレファレンスを生成する調光信号生成部を備えることを特徴とする。
【００１９】
このとき、本発明の一実施形態による入力電源感知装置は、前記出力端子の出力電源が、下記の数式により決定されることを特徴とする。
【数１】
2017022981.tif 000003
（このとき、Ｖｉｎは入力電源であり、Ｖｏｕｔは出力電源であり、Ｎ１は第２の巻線の巻線比であり、Ｄは入力電源の周期である。）
【００２０】
また、本発明の一実施形態による入力電源感知装置は、前記ディミングインタフェース部が生成したレファレンスに応じて補償し、フィードバック制御部に転送する補償部、及び前記補償部が補償した値をコンバータ部に転送するフィードバック制御部と、を更に備えることを特徴とする。
【００２１】
このとき、本発明の一実施形態による入力電源感知装置は、前記補償部が前記ディミングインタフェース部及び前記第１の照明部に接続され、前記補償部及び前記フィードバック制御部は、前記コンバータ部のパルス幅変調（ＰＷＭ）制御部に直列に接続されることを特徴とする。
【発明の効果】
【００２２】
従来の照明制御装置は、ＡＣ入力感知部、ＡＣ／ＤＣ整流器、トランスミッタ、ｕ−プロセッシングなどの構成要素が入力電源の感知のために１次側に組み込まれているが故に、安全要求事項を満たす別途の回路を構成し、部品に適用せねばならないという不都合があったが、本発明の入力電源感知装置は、コンバータ部のトランスフォーマ２３１の２次側に巻線を更に追加してディミングインタフェース部を接続することにより、２次側において１次側の入力電源を直ちに感知することができるというメリットがある。
【００２３】
このために、トランスフォーマ２３１に同じ方向（フォワード型コンバータ）の巻線２３３を更に追加し、出力電圧をピーク整流させることにより、既存のＡＣディミングの実現のための入力電源の状態を感知することができる。このため、入力電源を感知した値をディミングインタフェース部に転送する構成要素が別途に不要になる。
【００２４】
また、従来には、メンテナンスに際して、１次回路及び２次回路を両方とも点検せねばならないという問題があったが、本発明の入力電源感知装置は、２次回路に組み込まれるディミングインタフェース部２４０のみを点検すればよいというメリットがある。
【００２５】
更に、本発明の入力電源感知装置は、コンバータを構成する場合、世界各国ごとにそれぞれ異なる安全要求事項に違背しないための別途の回路構成及び部品の適用が不要になり、その結果、簡素化及び部品の小型化が図れるというメリットがある。
【図面の簡単な説明】
【００２６】
【図１】従来の照明制御装置を示す構成図である。
【図２】本発明の一実施形態による入力電源感知装置を示す構成図である。
【図３】本発明の一実施形態による入力電源感知装置に複数の照明部が更に組み込まれた構成を示す例示図である。
【図４】本発明の一実施形態による入力電源感知装置の詳細な構成を示す回路図である。
【図５】本発明の一実施形態による入力電源感知装置のトランスフォーマ２３１が１次側及び２次側に配設される巻線の巻線比及び印加電源を示す回路図である。
【図６】本発明の一実施形態による入力電源感知装置の出力端子において感知した出力電源が入力電源に比例して現れることを示すグラフである。
【発明を実施するための形態】
【００２７】
以下、添付図面に基づき、本発明の実施形態による「入力電源感知装置」について詳細に説明する。ここで説明する実施形態は、本発明の技術思想を通常の技術者に容易に理解させるために提供されるものであり、これらにより本発明が限定されることはない。なお、添付図面に示す事項は、本発明の実施形態を容易に説明するために図式化されたものであり、実際に実現される形態とは異なることもある。
【００２８】
一方、以下で表現される各構成部は、本発明を実現するための一例に過ぎない。よって、本発明の他の実現においては、本発明の思想および範囲を逸脱しない範囲内において他の構成部が使用可能である。
【００２９】
また、ある構成要素を「備える」という表現は、「開放型」の表現であり、単に当該構成要素が存在することを指し示すものに過ぎず、追加的な構成要素を排除するものであると理解されてはならない。
【００３０】
更に、「第１の、第２の」などの表現は、複数の構成要素を区別するための用途にのみ用いられる表現であり、構成要素間の順序やその他の特徴を限定するものではない。
【００３１】
更にまた、本発明の「電源」は、「電圧」、「電力」、「電流」など一般的な電気回路に使用可能な電気エネルギーのあらゆる種類を網羅する。
【００３２】
図１は、従来の照明制御装置を示す構成図である。
【００３３】
図１を参照すると、従来の照明制御装置は、ＡＣ入力感知部１８０、ＡＣ／ＤＣ整流器１７０、トランスミッタ１６０など複数の部品を必ず備えて入力電源を感知する別途の回路を構成し、部品に適用している。なお、別途の回路が各国別にそれぞれ異なる安全要求事項に違背しないように調節せねばならないという不都合があった。
【００３４】
図２は、本発明の一実施形態による入力電源感知装置を示す構成図であり、図３は、本発明の一実施形態による入力電源感知装置に複数の照明部が更に組み込まれた構成を示す例示図である。
【００３５】
図２を参照すると、本発明の入力電源感知装置２００は、入力電源部２１０、整流部２２０、コンバータ部２３０、ディミングインタフェース部２４０、第１の照明部２５０、フィードバック回路２６０を備えていてもよい。
【００３６】
入力電源部２１０は、入力電源感知装置又はディミング制御装置に必要な入力電源を提供し、このとき、入力電源Ｖｉｎは、商用交流電源２２０Ｖであることが好ましい。
【００３７】
整流部２２０は、入力電源部の入力電源Ｖｉｎを整流電源Ｖｒに整流させる。照明部は直流電源により駆動されるが、商用化された電源は交流電源であるため、これを直流電源に変換する必要がある。このために、本発明は、整流部２２０を備えている。本発明の整流部２２０は、ブリッジ整流器、ハーフブリッジ整流器、フルブリッジ整流器をはじめとする様々なタイプの整流素子により実現され得る。
【００３８】
コンバータ部２３０は、整流電源Ｖｒを既に設定された第１の電源Ｖ２１及び第２の電源Ｖ２２に変換して、ディミングインタフェース部及び第１の照明部に印加する。このとき、既に設定された第１の電源及び第２の電源は、コンバータ部２３０に組み込まれたトランスフォーマ２３１の１次側／２次側の巻線比に応じて調節してもよい。なお、コンバータ部は、トランスフォーマ２３１、スイッチ部２３５及びパルス幅変調（ＰＷＭ）制御部２３６を備えていてもよく、これらの構成要素の動作についての詳細な説明は、図４に基づいて行う。
【００３９】
ディミングインタフェース部２４０は、コンバータ部に接続されて入力電源の状態を感知してもよい。また、ディミングインタフェース部は、ディミング出力端子２４１、ピーク整流器２４２及び調光信号生成部２４３を備えていてもよく、これらの構成要素の動作についての詳細な説明は、図４に基づいて行う。
【００４０】
第１の照明部２５０は、コンバータ部に接続されて印加された第２の電源を光エネルギーに変換し、光源の役割を果たし、第１の照明部には、白熱灯、蛍光灯、発光ダイオード（ＬＥＤ）、有機発光ダイオード（ＯＬＥＤ）など照明部として使用可能なあらゆる光源が適用可能である。このとき、ディミングインタフェース部及び第１の照明部は、コンバータ部とフィードバック状に再び接続されて、コンバータ部に組み込まれたパルス幅変調（ＰＷＭ）制御部に現在の出力電源情報を転送してもよい。
【００４１】
また、図３を参照すると、第２の照明部、第３の照明部，．．．第ｎの照明部が更に組み込まれて、複数の照明部を一つの入力電源感知装置が制御するようにしてもよい。このとき、複数の照明部は、トランスフォーマの２次側に追加された巻線を介して電源を印加されてもよい。印加された電源は、１次側の巻線と２次側の巻線との巻線比に応じて異なるため、巻線比を調整して複数の照明部にそれぞれ異なるように電源を印加してもよい。なお、第２の照明部、第３の照明部，．．．第ｎの照明部は、コンバータ部とフィードバック状に再び接続されて、コンバータ部に組み込まれたパルス幅変調（ＰＷＭ）制御部に現在の出力電源情報を転送してもよい。
【００４２】
このとき、複数の照明部及びディミングインタフェース部がトランスフォーマの上に配設される順序は、ユーザの設定に応じて自由に指定してもよい。
【００４３】
図４は、本発明の一実施形態による入力電源感知装置の詳細な構成を示す回路図である。
【００４４】
図４を参照すると、本発明のコンバータ部２３０は、トランスフォーマ２３１、スイッチ部２３５及びパルス幅変調（ＰＷＭ）制御部２３６を備えていてもよい。
【００４５】
トランスフォーマ２３１は、１次側巻線及び複数の２次側巻線を備えて、誘導起電力により１次側の巻線に印加された電源を、巻線比に応じて２次側の巻線に印加してもよい。
【００４６】
このとき、トランスフォーマは、１次側に配設されて前記整流電源Ｖｒを受信する第１の巻線２３２、２次側に配設されて前記第１の巻線との巻線比に応じて第１の電源Ｖ２１を印加され、前記ディミングインタフェース部に接続される第２の巻線２３３、及び２次側に配設されて前記第１の巻線との巻線比に応じて第２の電源Ｖ２２を印加され、前記第１の照明部に接続される第３の巻線２３４を備えていてもよい。これにより、第１の照明部にはＶ２２が印加され、ディミングインタフェース部にはＶ２１が印加される。
【００４７】
図５を参照すると、第１の巻線２３２と第２の巻線２３３との巻線比は１：Ｎ１であり、第１の巻線２３２と第３の巻線２３４との巻線比が１：Ｎ２であるとき、電圧の大きさは、下記の関係式により定められる。このとき、巻線比１：Ｎ１、１：Ｎ２は同じ巻線比に実現してもよく、ユーザの設定に応じてそれぞれ異なる巻線比に実現してもよい。
【数２】
2017022981.tif 000004
【００４８】
また、第２の巻線は、第１の巻線と同じ方向（フォワード型コンバータ）であり、第３の巻線は、第１の巻線と反対の方向（フライバックコンバータ）であることを特徴とする。ディミングインタフェース部は、入力電源を感知する役割を果たさなければならないため、電圧がそのまま転送される同じ方向の巻線を使用し、照明部は、出力電圧に応じて異なる反対方向の巻線を使用する。なお、複数の照明部が更に追加される場合、複数の照明部にそれぞれ接続される巻線もまた第１の巻線とは反対の方向（フライバックコンバータ）であることを特徴とする。
【００４９】
スイッチ部２３５は、コンバータ部２３０の全体をオン／オフにする。スイッチ部は、第１の巻線に直列に接続されてもよい。なお、スイッチ部は、電界効果トランジスタ（ＦＥＴ：Ｆｉｅｌｄ ｅｆｆｅｃｔ ｔｒａｎｓｉｓｔｏｒ）であることが好ましく、パルス幅変調（ＰＷＭ）制御部が電界効果トランジスタ（ＦＥＴ）のゲートに接続されてもよい。
【００５０】
パルス幅変調（ＰＷＭ）制御部２３６は、スイッチ部を制御する。第１の巻線２３２に印加される電源は、整流部２２０を経て直流電源になるが、パルス幅変調（ＰＷＭ）制御部によりスイッチ部が周期Ｄ（ｄｕｔｙ）をもってオン／オフを行うと、直流電源が矩形波などの形状に変換される。
【００５１】
ディミングインタフェース部２４０は、入力電源の状態を感知する。このとき、ディミングインタフェース部は、ディミング出力端子２４１、ピーク整流器２４２及び調光信号生成部２４３を備えていてもよい。
【００５２】
ディミング出力端子２４１は、入力電源と既に設定された分だけ比例して出力電源が印加されると、出力電源を感知してもよい。ディミング出力端子２４１において感知される出力電源は、トランスフォーマの巻線比に応じて入力電源に比例して現れ、このため、出力電源を測定すると、下記の数式により入力電源を計算することができる。
【数３】
2017022981.tif 000005
（このとき、Ｖｉｎは入力電源であり、Ｖｏｕｔは出力電源であり、Ｎ１は第２の巻線の巻線比であり、Ｄは入力電源の周期である。）
【００５３】
このため、図６を参照すると、入力電源感知装置の出力端子において感知した出力電源が入力電源に比例して現れることが確認できるので、出力電源を測定して入力電源を感知することができる。
【００５４】
ピーク整流器２４２は、出力電源を直流に整流して、調光信号生成部２４３に整流された直流電源を送る。なお、調光信号生成部２４３は、ピーク整流器に直列に接続されて、補償部２６１に用いるためのレファレンスを生成する。
【００５５】
また、本発明の入力電源感知装置２００は、補償部２６１及びフィードバック制御部２６２を更に備えていてもよい。
【００５６】
補償部２６１は、ディミングインタフェース部が生成したレファレンスに応じて補償し、フィードバック制御部に転送し、フィードバック制御部２６２は、補償部が補償した値をコンバータ部に転送する。
【００５７】
このとき、補償部は、ディミングインタフェース部及び第１の照明部に接続され、補償部及びフィードバック制御部は、パルス幅変調（ＰＷＭ）制御部に直列に接続されてもよい。
【００５８】
上述した本発明の実施形態は単なる例示のために開示されたものに過ぎず、これらにより本発明が限定されることはない。また、本発明が属する技術分野における通常の知識を有する者であれば、本発明の思想の範囲内において様々な修正および変更を加えることができ、このような修正および変更は、本発明の範囲に属するものと見なすべきである。
【符号の説明】
【００５９】
１１０：従来の入力電源
１２０：従来の整流部
１３０：従来のコンバータ部
１４０：従来の照明部
１５０：従来のフィードバック回路
１６０：従来のトランスミッタ
１７０：従来のＡＣ／ＤＣ整流器
１８０：従来のＡＣ入力感知部
２００：入力電源感知装置
２１０：入力電源部
２２０：整流部
２３０：コンバータ部
２３１：トランスフォーマ
２３２：第１の巻線
２３３：第２の巻線
２３４：第３の巻線
２３５：スイッチ
２３６：パルス幅変調（ＰＷＭ）制御部
２４０：ディミングインタフェース部
２４１：ディミング出力端子
２４２：ピーク整流器
２４３：調光信号生成部
２５０：第１の照明部
２５１：第２の照明部
２５２：第ｎの照明部
２６０：フィードバック回路
２６１：補償部
２６２：フィードバック制御部
【図１】
2017022981.tif 000007
【図２】
2017022981.tif 000008
【図３】
2017022981.tif 000009
【図４】
2017022981.tif 000010
【図５】
2017022981.tif 000011
【図６】
2017022981.tif 000012